(57)【要約】【課題】同一平面空間部の一部にキッチン台を配置して、台所と居間・食事室を形成したマンションの専有住戸において、台所と居間・食事室の両方を広く形成し、かつ、同一平面空間部を広く視覚させることのできる構造を提供する。【解決手段】マンションの専有住戸の同一平面空間部Ｓにキッチン台１を配置して台所２と居間・食事室３を形成した構造であって、キッチン台１を、所定の外壁４から直角に平面直線状に配置した直線台部１ａと、当該直線台部１ａから、９０°乃至１８０°の平面傾斜角度αの範囲内、好ましくは１３５°の平面傾斜角度αで連設した傾斜台部１ｂとで構成する。【選択図】      図１
0003107969.tif 000002
【実用新案登録請求の範囲】
【請求項１】
マンションの専有住戸の同一平面空間部（Ｓ）にキッチン台（１）を配置して台所（２）と居間・食事室（３）を形成した構造であって、前記キッチン台を，所定の外壁（４）から直角に平面直線状に配置した直線台部（１ａ）と，該直線台部から，９０°乃至１８０°の平面傾斜角度（α）の範囲内，好ましくは１３５°の平面傾斜角度で連設した傾斜台部（１ｂ）とで構成してなるマンションの専有住戸の台所および居間・食事室構造。
【請求項２】
マンションの専有住戸の同一平面空間部（Ｓ）にキッチン台（１）を配置して台所（２）と居間・食事室（３）を形成した構造であって、前記キッチン台を，所定の外壁（４）から直角に平面直線状に配置した直線台部（１ａ）と，該直線台部から，９０°乃至１８０°の平面傾斜角度（α）の範囲内，好ましくは１３５°の平面傾斜角度で連設した傾斜台部（１ｂ）とで構成してなり、前記同一平面空間部を平面四角形状とし、前記キッチン台の傾斜台部を、前記同一平面空間部の対向する二つのコーナー角部（Ｃ）に正面から対向させてなるマンションの専有住戸の台所および居間・食事室構造。
【考案の詳細な説明】
【技術分野】
【０００１】
本考案は、マンションの専有住戸の台所および居間・食事室の構造に関するものである。
【背景技術】
【０００２】
従来、マンションの専有住戸において、例えば、平面四角形状の同一平面空間部に対面式のキッチン台を配置して、当該キッチン台の奥側部分を台所とし、その前側部分を居間・食事室とした構造のものがある。
【０００３】
こうした構造において、キッチン台は、通常、その平面形状が直線状のＩ字形、または直角状のＬ字形に設定されている。
【考案の開示】
【考案が解決しようとする課題】
【０００４】
しかし、キッチン台がＩ字形のものは直線状に出っ張っているため、居間・食事室が狭くなってしまい易いといった問題がある。また、キッチン台がＬ字形のものは、直角状に折れ曲がっているため、居間・食事室は狭くならないものの、台所が狭くなってしまい易いといった問題がある。さらに、それら双方においては、台所と居間・食事室とがキッチン台によって分断され、同一平面空間部が狭く視覚されてしまうといった問題がある。
【０００５】
本考案はこうした問題に鑑み創案されたもので、同一平面空間部の一部にキッチン台を配置して、台所と居間・食事室を形成したマンションの専有住戸において、台所と居間・食事室の両方を広く形成し、かつ、同一平面空間部を広く視覚させることのできる構造を提供することを課題とする。
【課題を解決するための手段】
【０００６】
図１を参照して説明する。請求項１に記載の考案は、マンションの専有住戸の同一平面空間部Ｓにキッチン台１を配置して台所２と居間・食事室３を形成した構造であって、前記キッチン台１を、所定の外壁４から直角に平面直線状に配置した直線台部１ａと、当該直線台部１ａから、９０°乃至１８０°の平面傾斜角度αの範囲内、好ましくは１３５°の平面傾斜角度αで連設した傾斜台部１ｂとで構成してなるものである。
【０００７】
請求項２に記載の考案は、マンションの専有住戸の同一平面空間部Ｓにキッチン台１を配置して台所２と居間・食事室３を形成した構造であって、前記キッチン台を、所定の外壁４から直角に平面直線状に配置した直線台部１ａと、当該直線台部から、９０°乃至１８０°の平面傾斜角度αの範囲内、好ましくは１３５°の平面傾斜角度αで連設した傾斜台部１ｂとで構成してなり、前記同一平面空間部Ｓを平面四角形状とし、前記キッチン台１の傾斜台部１ｂを、前記同一平面空間部Ｓの対向する二つのコーナー角部Ｃに正面から対向させてなるものである。
【考案の効果】
【０００８】
請求項１に記載の考案に係るマンションの専有住戸の台所および居間・食事室構造は、マンションの専有住戸の同一平面空間部Ｓにキッチン台１を配置して台所２と居間・食事室３を形成した構造において、キッチン台１を、所定の外壁４から直角に平面直線状に配置した直線台部１ａと、当該直線台部１ａから９０°から１８０°の平面傾斜角度αの範囲内、好ましくは１３５°の平面傾斜角度αで連設した傾斜台部１ｂとで構成したので、台所２および居間・食事室３の双方をそれぞれ広く形成することができる。また、同一平面空間部Ｓも、広く視覚させることができる。
【０００９】
すなわち、キッチン台１をＩ字形に設定すると居間・食事室３が狭くなり、Ｌ字形に設定すると台所２が狭くなってしまうが、本考案は、キッチン台１を直線台部１ａと傾斜台部１ｂとで構成したので、台所２と居間・食事室３の双方を広く形成することができる。また、キッチン台１を直線台部１ａから傾斜台部１ｂを連設した形状としたことによって、当該キッチン台１で台所２と居間・食事室３を明確に分断するといった印象が小さくなり、台所２と居間・食事室３を一体的に視覚させ、同一平面空間部Ｓを広く見せることができる。
【００１０】
請求項２に記載の考案に係るマンションの専有住戸の台所および居間・食事室構造は、請求項１に記載の考案と同様に、キッチン台１を直線台部１ａと傾斜台部１ｂとで構成したので、台所２と居間・食事室３の双方を広く形成することができる。
【００１１】
また、同一平面空間部Ｓを平面四角形状とし、キッチン台１の傾斜台部１ｂを、同一平面空間部Ｓの対向する二つのコーナー角部Ｃに正面から対向させたので、台所２内の傾斜台部１ｂからは、最も遠距離に位置する居間・食事室３のコーナー角部Ｃが正面に視覚される。従って、居間・食事室３を広く感じさせることができる。また、居間・食事室３内の傾斜台部１ｂからは、最も遠距離に位置する台所２のコーナー角部Ｃが正面に見える。従って、台所を実際よりも広く視覚させることができる。
【考案を実施するための最良の形態】
【００１２】
本考案に係るマンションの専有住戸の台所および居間・食事室構造の実施形態を、図１に示す。これは、マンションの専有住戸の同一平面空間部Ｓの一角にキッチン台１を配置して台所２と居間・食事室３を形成した構造である。キッチン台１は、その一方端部を外壁４に沿わせ、当該外壁４から直角方向に平面直線状に配置した直線台部１ａと、その直線台部１ａから１３５°の平面傾斜角度αで連設した傾斜台部１ｂとで構成している。キッチン台１の居間・食事室３側には、飲食が可能なキッチンカウンター１ｃを設けている。
【００１３】
また、本実施形態では、同一平面空間部Ｓを平面四角形状とし、キッチン台１の傾斜台部１ｂを、同一平面空間部Ｓのコーナー角部Ｃに対向させている。ここで平面四角形は、正方形と長方形のいずれでも差支えない。
【００１４】
こうした構造の台所および居間・食事室構造では、キッチン台１を直線台部１ａと傾斜台部１ｂとで構成したので、従来のＩ字形やＬ字形に設定した場合と比較して、台所２と居間・食事室３の双方を広く形成することができる。また、キッチン台１によって台所２と居間・食事室３が明確に分断されるといった印象が小さくなり、台所２と居間・食事室３を一体的に視覚させ、同一平面空間部Ｓを広く見せることができる。
【００１５】
また、同一平面空間部Ｓを平面四角形状とし、キッチン台１の傾斜台部１ｂを、同一平面空間部Ｓの対向する二つのコーナー角部Ｃに対向させたので、台所２内の傾斜台部か１ｂからは、そこから最も遠距離に位置する居間・食事室３のコーナー角部Ｃを正面に見ることになる。これにより、居間・食事室３を実際よりも広く感じさせることができる。同様に、居間・食事室３内の傾斜台部１ｂ（キッチンカウンター１ｃ）からは、そこから最も遠距離である台所２のコーナー角部Ｃを正面に見ることになり、当該台所２を広く感じさせることができる。
【図面の簡単な説明】
【００１６】
【図１】本考案に係るマンションの専有住戸の台所および居間・食事室構造の実施形態を示す平面図である。
【符号の説明】
【００１７】
１      キッチン台
１ａ    直線台部
１ｂ    傾斜台部
１ｃ    キッチンカウンター
２      台所
３      居間・食事室
４      外壁
５      居室
６      廊下
７      洗面所
８      浴室
９      バルコニー
Ｃ      コーナー角部
Ｄ      ドア
Ｓ      同一平面空間部
α      平面傾斜角度
【図１】
0003107969.tif 000003